(57)【要約】      （修正有）【課題】食付勾配歯部において転造加工用平ダイスの弾性戻りによる歪みを防止し、高精度の累積ピッチ誤差を含む歯形加工精度を得ることができる転造加工用平ダイスを提供。【解決手段】平ダイスの食付勾配歯部4の歯先線9は平ダイスの移動方向Fに対して傾斜させ、食付勾配歯部4の加工歯のピッチ線13及び歯底線17は平ダイスの移動方向Fに対してそれぞれ平行にされ、仕上げ歯部7の歯先線10は平ダイスの移動方向Fに対して平行であり、かつ仕上げ歯部7の加工歯の前半部5のピッチ線15及び歯底線19は食付勾配歯部4の歯先線9に対してそれぞれ平行にされていることにより、仕上げ歯部7の加工歯の前半部5で、歯面方向にのみ食い込みを行うようにしてワークの歯底の食い込みを行わないようにし、仕上げ歯部7の後半部6の加工歯のピッチ線16及び歯底線11は平ダイスの移動方向Fに対してそれぞれ平行にされている。【選択図】図２
2009202221.tif 000002
【特許請求の範囲】
【請求項１】
一対の平ダイス間に配置して円柱状ワークの周面転造部にスプライン及び歯車を含む歯車状の歯を加工するための食付勾配歯部、仕上げ歯部及び逃げ歯部を有するスプライン転造加工用平ダイスにおいて、
前記食付勾配歯部の歯先線は平ダイスの移動方向に対して傾斜させ、前記食付勾配歯部の加工歯のピッチ線及び歯底線は平ダイスの移動方向に対してそれぞれ平行にされて前記食付勾配歯部の歯は歯高方向にのみ食い込むようにされ、
前記仕上げ歯部の歯先線は平ダイスの移動方向に対して平行であり、かつ前記仕上げ歯部の加工歯の前半部のピッチ線及び歯底線は前記食付勾配歯部の歯先線に対してそれぞれ平行又は前記食付勾配歯部の歯先線より緩い勾配にされて前記仕上げ歯部の前半部で歯面方向にのみ食い込みを行うようにしてワークの歯底の食い込みを行わないようにし、
前記仕上げ歯部の後半部の加工歯のピッチ線及び歯底線は平ダイスの移動方向に対してそれぞれ平行にされて前記仕上げ歯部の後半部の加工歯は完全歯形による仕上げ加工を行うようにしたことを特徴とするスプライン転造加工用平ダイス。
【請求項２】
前記食付勾配歯部の加工歯のピッチ線及び歯底線はそれぞれ前記食付勾配歯部の歯先線より緩い勾配の互いに平行な傾斜を有することにより、前記食付勾配歯部の歯は歯高方向と同時に歯面方向に食い込むようにされたことを特徴とする請求項１記載のスプライン転造加工用平ダイス。
【発明の詳細な説明】
【技術分野】
【０００１】
本発明は一対の平ダイス間に配置して円柱状ワークの周面転造部にスプライン及び歯車を含む歯車状の歯を加工するための食付勾配歯部、仕上げ歯部及び逃げ歯部を有するスプライン転造加工用平ダイスに関する。
【背景技術】
【０００２】
スプライン転造加工用平ダイスは、円柱状ワークが食付くようにされ、さらに歯を整形するように徐々に歯丈が漸増する食付勾配歯部と、歯丈が一定で完全歯形形状で仕上げを行う仕上げ歯部と、円柱状ワークが平ダイスより容易に逃げられるように歯丈が急速に漸減する逃げ歯部とが順次長手方向に設けられている。従来のスプライン転造加工用平ダイスとしては、特許文献１では本願の図６、図７（特許文献１の図５、図６、第２欄第12〜22行目）に示すように、仕上げ歯部52の歯先線T3、ピッチ線P3及び歯底線B3は平ダイスの移動方向 Fに対してそれぞれ平行にされて仕上げ歯部52は完全歯形による仕上げ加工を行うようにされ、食付勾配歯部54の歯先線T1は平ダイスの移動方向 Fに対して傾斜させ、食付勾配歯部のピッチ線P3及び歯底線B3は平ダイスの移動方向 Fに対してそれぞれ平行にされて食付勾配歯部の加工歯は本願の図７に示すように、徐々に歯丈が漸増し及び歯幅が漸減して歯高方向にのみ食い込むようにされている。特許文献１では転造加工用平ダイスの弾性戻りによる歪みを防止し累積ピッチ誤差を含む加工精度を改善するものとして、本願の図８、図９（特許文献１の図２、図３、第５欄第 7〜16行目）に示すように、食付歯部12を、転造加工用平ダイスの端部側部分に歯先線T1の傾斜の大きい第１食付歯部22と、歯先線T2の傾斜の小さい第２食付歯部24とを設け、かつ第１食付歯部22と第２食付歯部24の歯底線B3は第２食付歯部24の歯先線T2と平行にし、少なくとも第２食付歯部24の加工歯のピッチ線P3を第２食付歯部24の歯先線T2と平行にされて食付勾配歯部22、24の加工歯は本願の図10に示すように、徐々に歯丈が漸増し及び歯幅が漸減して歯高及び歯面方向に食い込むようにされている。
【特許文献１】実公平２−２５１６号公報
【発明の開示】
【発明が解決しようとする課題】
【０００３】
図６〜図10に示す従来の転造加工用平ダイスでは、食付勾配歯部54、22、24の加工歯は、本願の図７、図10に示すように、図７では歯高方向、図10では歯高及び歯面方向に食い込むようにされているので、転造加工用平ダイスの弾性戻りによる歪みが避けられず、累積ピッチ誤差及び加工精度を得ることができなかった。
【０００４】
本発明の課題は、かかる従来の課題を解決した、食付勾配歯部において転造加工用平ダイスの弾性戻りによる歪みを防止し、累積ピッチ誤差の少ない高精度の加工精度を得ることができる転造加工用平ダイスを提供することにある。
【課題を解決するための手段】
【０００５】
このため本発明は、一対の平ダイス間に配置して円柱状ワークの周面転造部にスプライン及び歯車を含む歯車状の歯を加工するための食付勾配歯部、仕上げ歯部及び逃げ歯部を有するスプライン転造加工用平ダイスにおいて、
前記食付勾配歯部の歯先線は平ダイスの移動方向に対して傾斜させ、前記食付勾配歯部の加工歯のピッチ線及び歯底線は平ダイスの移動方向に対してそれぞれ平行にされて前記食付勾配歯部の歯は歯高方向にのみ食い込むようにされ、
前記仕上げ歯部の歯先線は平ダイスの移動方向に対して平行であり、かつ前記仕上げ歯部の加工歯の前半部のピッチ線及び歯底線は前記食付勾配歯部の歯先線に対してそれぞれ平行又は前記食付勾配歯部の歯先線より緩い勾配にされて前記仕上げ歯部の前半部で歯面方向にのみ食い込みを行うようにしてワークの歯底の食い込みを行わないようにし、
前記仕上げ歯部の後半部の加工歯のピッチ線及び歯底線は平ダイスの移動方向に対してそれぞれ平行にされて前記仕上げ歯部の後半部の加工歯は完全歯形による仕上げ加工を行うようにしたことを特徴とするスプライン転造加工用平ダイスを提供することにより上述した本発明の課題を解決した。
【発明の効果】
【０００６】
本願のスプライン転造加工用平ダイスでは、食付勾配歯部の歯先線は平ダイスの移動方向に対して傾斜させ、食付勾配歯部の加工歯のピッチ線及び歯底線は平ダイスの移動方向に対してそれぞれ平行にされて食付勾配歯部の歯は歯高方向にのみ食い込むようにされ、仕上げ歯部の歯先線は平ダイスの移動方向に対して平行であり、かつ仕上げ歯部の加工歯の前半部のピッチ線及び歯底線は食付勾配歯部の歯先線に対してそれぞれ平行又は前記食付勾配歯部の歯先線より緩い勾配にされて仕上げ歯部の前半部で歯面方向にのみ食い込みを行うようにして歯底の食い込みを行わないようにしたので、食付勾配歯部の加工歯の歯高方向の食い込みがよく、仕上げ歯部の加工歯の前半部で、歯高を一定にした案内のもとに歯面方向にのみ食い込みを行い、歯面方向の加工を行ったので、最終的な歯面加工時に、平ダイスの歯先とワークの歯底の加工が行なわれず、歯面方向にのみ食い込みが行われ、歯面の仕上げを安定した歯面食い込み量で行うことができるので、食付勾配歯部において転造加工用平ダイスの弾性戻りによる歪みを防止し、累積ピッチ誤差の少ない高精度の加工精度を得ることができるスプライン転造加工用平ダイスを提供するものとなった。
【０００７】
好ましくは、前記食付勾配歯部の加工歯のピッチ線及び歯底線はそれぞれ前記食付勾配歯部の歯先線より緩い勾配の互いに平行な傾斜を有することにより、前記食付勾配歯部の歯は歯高方向と同時に歯面方向に食い込むようにされたことにより、仕上げ歯部の加工歯の前半部のワークの歯面方向の高精度の歯形加工精度を得ることができるスプライン転造加工用平ダイスを提供するものとなった。
【発明を実施するための最良の形態】
【０００８】
本発明の第１の実施形態のスプライン転造加工用平ダイスを図１乃至図３を参照して説明する。図１は本発明の第１の実施形態のスプライン転造加工用平ダイスの全体の概略側面図、図２は図１の平ダイスの仕上げ歯部の拡大歯直角断面図と仕上げ歯部と食付勾配歯部の歯先線、ピッチ線及び歯底線をそれぞれ示す概略拡大側面図、図３は図１の平ダイスの食付勾配歯部と仕上げ歯部の食い込み進行状況を示す説明図、図４は本発明の第２の実施形態のスプライン転造加工用平ダイスの全体の概略側面図、図５は図４の平ダイスの食付勾配歯部と仕上げ歯部の食い込み進行状況を示す説明図、図６は特許文献１の図５に示す従来の平ダイスの全体の概略側面図、図７は図６の平ダイスの食付勾配歯部の食い込み進行状況を示す説明図、図８は特許文献１の図２に示す従来の平ダイスの仕上げ歯部の拡大歯直角断面図と仕上げ歯部と食付勾配歯部の歯先線、ピッチ線及び歯底線をそれぞれ示す概略拡大側面図、図９は図８の平ダイスの全体の概略側面図、図10は図８の平ダイスの食付勾配歯部の食い込み進行状況を示す説明図、をそれぞれ示す。
【０００９】
図１乃至図３に示すように、本発明の第１の実施形態のスプライン転造加工用平ダイスは、一対の平ダイス（図１乃至図３では片側のみ示す）間に配置して図示しない円柱状ワークの周面転造部にスプライン及び歯車を含む歯車状の歯を加工するための食付勾配歯部 4、仕上げ歯部 7及び逃げ歯部 8を有するスプライン転造加工用平ダイスにおいて、
食付勾配歯部 4の歯先線 9は平ダイスの移動方向 Fに対して傾斜させ、食付勾配歯部 4の加工歯のピッチ線13及び歯底線17は平ダイスの移動方向 Fに対してそれぞれ平行にされることにより、食付勾配歯部 4の歯は、図３の (1)〜(8) に示すように、歯高方向にのみ食い込むようにされ、
仕上げ歯部 7の歯先線10は平ダイスの移動方向 Fに対して平行であり、かつ仕上げ歯部 7の加工歯の前半部 5のピッチ線15及び歯底線19は食付勾配歯部 4の歯先線 9に対してそれぞれ平行又は食付勾配歯部 4の歯先線 9より緩い勾配にされていることにより、仕上げ歯部 7の加工歯の前半部 5で、図３の (9)〜(10)に示すように、歯面方向にのみ食い込みを行うようにしてワークの歯底の食い込みを行わないようにし、
仕上げ歯部 7の後半部 6の加工歯のピッチ線16及び歯底線11は平ダイスの移動方向 Fに対してそれぞれ平行にされていることにより、ワーク全体の弾性変形を逃した後、仕上げ歯部 7の後半部 6の加工歯が完全歯形による仕上げ加工を行うようにしたものである。
食付勾配歯部 4の長さは、ワークの約４回転相当分であり、食付勾配歯部 4の前半部には粗い砥粒によるサンドブラスト処理を施した。それによる歯面の粗さは20〜35μRzである。
【００１０】
本発明の第１の実施形態のスプライン転造加工用平ダイスでは、食付勾配歯部の歯先線は平ダイスの移動方向に対して傾斜させ、食付勾配歯部の加工歯のピッチ線及び歯底線は平ダイスの移動方向に対してそれぞれ平行にされて食付勾配歯部の歯は歯高方向にのみ食い込むようにされ、仕上げ歯部の歯先線は平ダイスの移動方向に対して平行であり、かつ仕上げ歯部の加工歯の前半部のピッチ線及び歯底線は食付勾配歯部の歯先線に対してそれぞれ平行にされて仕上げ歯部の前半部で歯面方向にのみ食い込みを行うようにして歯底の食い込みを行わないようにしたので、食付勾配歯部の加工歯の歯高方向の食い込みがよく、仕上げ歯部の加工歯の前半部で、歯高を一定にした案内のもとに歯面方向にのみ食い込みを行い、歯面方向の加工を行ったので、最終的な歯面加工時に、平ダイスの歯先とワークの歯底の加工が行なわれず、歯面方向にのみ食い込みが行われ、歯面の仕上げを安定した歯面食い込み量で行うことができるので、ワークの歯底、歯面と段階的にワークの弾性変形を開放するようにしたので、食付勾配歯部において転造加工用平ダイスの弾性戻りによる歪みを防止し、累積ピッチ誤差の少ない高精度の加工精度を得ることができるスプライン転造加工用平ダイスを提供するものとなった。
【００１１】
図４、図５に示すように、本発明の第２の実施形態のスプライン転造加工用平ダイスのでは、食付勾配歯部 4の加工歯のピッチ線23及び歯底線25はそれぞれ食付勾配歯部 4の歯先線 9より緩い勾配の互いに平行な傾斜23、25を有することにより、徐々に歯丈が漸増し及び歯幅が32から31へと漸減して歯高及び歯面方向に食い込むようにされている。食付勾配歯部 4の歯は歯高方向 (1)〜(8) と同時に歯面方向 (9)〜(10)に食い込むようにされたことにより、最終的な歯面加工時に、平ダイスの歯先とワークの歯底の加工が行なわれず、歯面方向にのみ食い込みが行われ、歯面の仕上げを安定した歯面食い込み量で行うことができるので、ワークの歯底、歯面と段階的にワークの弾性変形を開放するようにしたので、食付勾配歯部において転造加工用平ダイスの弾性戻りによる歪みを防止し、累積ピッチ誤差の少ない高精度の加工精度を得ることができるスプライン転造加工用平ダイスを提供するものとなった。
【図面の簡単な説明】
【００１２】
【図１】本発明の第１の実施形態のスプライン転造加工用平ダイスの全体の概略側面図、
【図２】図１の平ダイスの仕上げ歯部の拡大歯直角断面図と仕上げ歯部と食付勾配歯部の歯先線、ピッチ線及び歯底線をそれぞれ示す概略拡大側面図。
【図３】図１の平ダイスの食付勾配歯部と仕上げ歯部の食い込み進行状況を示す説明図。
【図４】本発明の第２の実施形態のスプライン転造加工用平ダイスの全体の概略側面図。
【図５】図４の平ダイスの食付勾配歯部と仕上げ歯部の食い込み進行状況を示す説明図。
【図６】特許文献１の図５に示す従来の平ダイスの全体の概略側面図。
【図７】図６の平ダイスの食付勾配歯部の食い込み進行状況を示す説明図。
【図８】特許文献１の図２に示す従来の平ダイスの仕上げ歯部の拡大歯直角断面図と仕上げ歯部と食付勾配歯部の歯先線、ピッチ線及び歯底線をそれぞれ示す概略拡大側面図。
【図９】図８の平ダイスの全体の概略側面図。
【図１０】図８の平ダイスの食付勾配歯部の食い込み進行状況を示す説明図。
【符号の説明】
【００１３】
１：平ダイス、４：食付勾配歯部、５：仕上げ歯部の前半部、６：仕上げ歯部の後半部、７：仕上げ歯部、８：逃げ歯部、９：食付勾配歯部の刃先線、10：仕上げ歯部の後半部の刃先線、11：仕上げ歯部の後半部の刃底線、13：食付勾配歯部のピッチ線、15、23：仕上げ歯部の前半部のピッチ線、16：仕上げ歯部の後半部のピッチ線、17、26：食付勾配歯部の刃底線、19、27：仕上げ歯部の前半部の刃底線、23：食付勾配歯部のピッチ線、24：仕上げ歯部の前半部のピッチ線、Ｆ：平ダイスの移動方向
【図１】
2009202221.tif 000003
【図２】
2009202221.tif 000004
【図３】
2009202221.tif 000005
【図４】
2009202221.tif 000006
【図５】
2009202221.tif 000007
【図６】
2009202221.tif 000008
【図７】
2009202221.tif 000009
【図８】
2009202221.tif 000010
【図９】
2009202221.tif 000011
【図１０】
2009202221.tif 000012